(57)【要約】【課題】容器内から芳香液を送出する毛細管現象と、前記容器内での前記芳香液の体積変化に追従した前記容器の変形とを組み合わせることにより、容器内への空気の流入を防止する。【解決手段】芳香液から匂い及び／又は消臭成分を揮散させる放香発生装置において、匂い成分を揮散させる芳香液を収納する袋体と、前記袋体内から前記芳香液を毛細管現象で前記袋体から送出する紐状体と、を有し、前記袋体は、前記紐状体の毛細管現象による芳香液の送出に伴う体積変化に応じて内容積が縮小する素材からなるものである。【選択図】図１
2018183544.tif 000002
【特許請求の範囲】
【請求項１】
芳香液から匂い及び／又は消臭成分を揮散させる放香発生装置において、
匂い及び／又は消臭成分を揮散させる芳香液を収納する袋体と、
前記袋体内から前記芳香液を毛細管現象で前記袋体から送出する紐状体と、
を有し、
前記袋体は、前記紐状体の毛細管現象による芳香液の送出に伴う体積変化に応じて内容積が縮小する素材からなることを特徴とする放香発生装置。
【請求項２】
前記送出された前記芳香液を面状に拡散する面状体を有することを特徴とする請求項１に記載の放香発生装置。
【請求項３】
前記面状体は、毛細管現象を発生させる紐状体を複数本放射状に配置したものであることを特徴とする請求項２に記載の放香発生装置。
【請求項４】
前記面状体は、毛細管現象を発生させる紐状体を渦巻状に引廻したものであることを特徴とする請求項２に記載の放香発生装置。
【請求項５】
さらに、前記面状体が拡散させた芳香液から匂い成分を揮散させる揮散体を有することを特徴とする請求項１乃至請求項４の何れか１に記載の放香発生装置。
【請求項６】
前記揮散体は、複数の面を有する面状体であり、前記複数本の紐状体は、前記揮散体の各面に芳香液をそれぞれ供給するものであることを特徴とする請求項５に記載の放香発生装置。
【請求項７】
前記揮散体は、前記複数の面を異なる方向に向けて有することを特徴とする請求項５又は請求項６に記載の放香発生装置。
【請求項８】
前記紐状体は、毛細管現象による前記芳香液の送出を調整する流量調整機構を有することを特徴とする請求項１に記載の放香発生装置。
【発明の詳細な説明】
【技術分野】
【０００１】
本発明は、匂いを揮散する芳香液を収容した容器から毛細管現象で芳香液を送出する放香発生装置に関する。
【背景技術】
【０００２】
従来から、容器に入れた芳香液に繊維などを束ねた芯材の下部を浸し、毛細管現象で上昇した芳香液から芳香成分を空気中に揮散する芳香器が知られている。
また、芳香液を収納し口部先端部に含浸材を設けた容器を倒立させて、受皿に配置した含浸体と口部先端部の含浸材とを接触させ、毛細管現象により芳香液を含浸体に移行させる構造が特許文献１に開示されている。
【先行技術文献】
【特許文献】
【０００３】
【特許文献１】実開昭６１−１９４５３６号公報
【発明の概要】
【発明が解決しようとする課題】
【０００４】
しかしながら、特許文献１に記載の装置の容器本体は、液体芳香剤を送出する際に内容積が変化しない固形構造であり、明細書に記載されているように、倒立した容器からの液体芳香剤の送出による容器本体内空気の圧力変化により、容器内に外気が流入し、液体芳香剤の供給が停止された状態でも、液体芳香剤は密閉状態の容器とは言え常時空気と接触しているため、酸化による香りの強度低下や鮮度低下が防げず、匂いの変化なども起こってしまうという課題があった。
【０００５】
本発明の目的は、容器内から液体芳香剤（芳香液）を送出する毛細管現象と、前記容器内での前記芳香液の体積変化に追従した前記容器の変形とを組み合わせることにより、容器内への空気の流入を防止する放香発生装置を提供することにある。
【課題を解決するための手段】
【０００６】
前記目的を達成するため、本発明に係る放香発生装置は、芳香液から匂い及び／又は消臭成分を揮散させる放香発生装置において、匂い及び／又は消臭成分を揮散させる芳香液を収納する袋体と、前記袋体内から前記芳香液を毛細管現象で前記袋体から送出する紐状体と、を有し、前記袋体は、前記紐状体の毛細管現象による芳香液の送出に伴う体積変化に応じて内容積が縮小する素材からなることを特徴とする。
【０００７】
本発明に係る放香発生装置は、さらに、前記送出された前記芳香液を面状に拡散する面状体を有することを特徴とする。
【０００８】
本発明に係る放香発生装置における前記面状体は、毛細管現象を発生させる紐状体を複数本放射状に配置したものであることを特徴とする。
【０００９】
本発明に係る放香発生装置における前記面状体は、毛細管現象を発生させる紐状体を渦巻状に引廻したものであることを特徴とする。
【００１０】
本発明に係る放香発生装置は、さらに、前記面状体が拡散させた芳香液から匂い成分を揮散させる揮散体を有することを特徴とする。
【００１１】
本発明に係る放香発生装置における前記揮散体は、複数の面を有する面状体であり、前記複数本の紐状体は、前記揮散体の各面に芳香液をそれぞれ供給するものであることを特徴とする。
【００１２】
本発明に係る放香発生装置における前記揮散体は、前記複数の面を異なる方向に向けて有することを特徴とする。
【００１３】
前記紐状体は、毛細管現象による前記芳香液の送出を調整する流量調整機構を有することを特徴とする。
【発明の効果】
【００１４】
以上、説明したように、本発明によれば、芳香液から匂い及び／又は消臭成分を揮散させる放香器において、匂い及び／又は消臭成分を揮散させる芳香液を収容する袋体と、前記袋体から前記芳香液を毛細管現象で送出する紐状体と、を有し、前記袋体は、前記紐状体及び前記面状体による芳香液の送出に伴う体積変化に応じて内容積が縮小する素材からなる構成を採用したため、容器内に紐状体を通して外気の侵入を回避して、容器内の芳香液の変質を防止することができ、所期の匂い成分を揮散することができる。すなわち、芳香液が外気による酸化作用などで変質することがなく、芳香液から揮散させる匂い成分の変化を防止して、匂い、もしくは消臭成分による効果を十分に発揮することができる。
【００１５】
さらに、本発明によれば、前記袋体は、前記紐状体及び前記面状体による芳香液の送出に伴う体積変化に応じて内容積が縮小する素材からなる構成を採用したため、前記容器内から芳香液を送出する開始時点と、前記容器内から前記芳香液を十分に送出した時点での前記容器の外形形態が変化するため、前記容器の外形形態を監視することにより、前記芳香液が消費された容器を芳香液が充填された新しい容器に交換する時期を視認することができる。これにより、容器の交換時期を容易に判別することができる。
【００１６】
さらに本発明によれば、前記送出された前記芳香液を面状に拡散する面状体を有するため、前記袋体に接続した前記紐状体によって発生する毛細管現象が、前記面状体と揮散体で増幅することができる。従って、前記面状体や揮散体の形態を調節することにより、前記袋体からの前記芳香液の送出量を適宜調節することができる。また、紐状体の途中に毛細管現象による前記芳香液の送出を調整する流量調整機構を設けることで前記芳香液の送出量を適宜調節することができる。
【００１７】
特許文献１の放香器では、容器を倒立状態に設置する必要がある。これに対して、本発明では紐状体の毛細管現象で袋体内から芳香液を送出する構成であるため、袋体の設置姿勢に左右されることなく、前記袋体から芳香液を送出することができ、前記袋体の設置姿勢に自由度をもたせることができる。
【図面の簡単な説明】
【００１８】
【図１】本発明の実施形態１に係る放香発生装置の全体構成を示す図であり、図１（ａ）は正面図、図１（ｂ）は側面図である。
【図２】本発明の実施形態１に係る放香発生装置における芳香液を収用した袋体と紐状体とをメスコネクタ及びオスコネクタで結合する構造を示す断面図である。
【図３】図２に示すメスコネクタ及びオスコネクタの構造を分解して示す図であり、図３（ａ）は袋体側に設けたメスコネクタを示す断面図、図３（ｂ）は使用前の袋体をシールする外気遮断用パッキンを示す正面図、図３（ｃ）は紐状体側に設けたオスコネクタを示す断面図、図３（ｄ）は図３（ｃ）のＡ−Ａ線に沿う断面図である。
【図４】本発明の実施形態２に係る放香発生装置における芳香液を収用した袋体と紐状体とをねじ構造で結合する構造を示す図であり、図４（ａ）は正面図、図４（ｂ）は側面図である。
【図５】図４に示すねじ構造のうち吐出口側の構造を分解して示す図であり、図５（ａ）は吐出側の構造を示す断面図、図６（ｂ）は袋体を密閉する蓋を示す断面図、図５（ｃ）は使用前の袋体をシールする外気遮断用パッキンを示す正面図である。
【図６】図４に示すねじ構造のうち吐出口側の構造を示す断面図である。
【図７】本発明の実施形態３に係る放香発生装置における紐状体の毛細管現象を増幅させる構造を示す斜視図である。
【図８】本発明の実施形態４に係る放香発生装置における紐状体の毛細管現象を増幅させる構造の他の例を示す斜視図である。
【図９】本発明の実施形態５に係る放香発生装置における紐状体の毛細管現象を増幅させる構造の他の例を示す斜視図である。
【図１０】本発明の実施例において実験開始時の状態を撮影した写真である。
【図１１】本発明の実施例において実験開始時から１０５時間が経過した状態を撮影した写真である。
【発明を実施するための形態】
【００１９】
以下、本発明の実施形態を図面に基づいて詳細に説明する。
【００２０】
［実施形態１］
図１（ａ）は本発明の実施形態１に係る放香発生装置の全体構成を示す正面図、図１（ｂ）は側面図である。図２は本発明の実施形態１に係る放香発生装置における芳香液を収用した袋体と紐状体とをメスコネクタ及びオスコネクタで結合する構造を示す断面図、図３（ａ）は図２に示すメスコネクタ及びオスコネクタの構造のうち袋体側に設けたメスコネクタを示す断面図、図３（ｂ）は使用前の袋体をシールする外気遮断用パッキンを示す正面図、図３（ｃ）は紐状体側に設けたオスコネクタを示す断面図、図３（ｄ）は図２（ｃ）のＡ−Ａ線に沿う断面図である。
【００２１】
図１（ａ）（ｂ）に示すように、本発明の実施形態１に係る放香発生装置１は、芳香液２から匂い成分を揮散させる放香発生装置１を対象とするものであり、匂い成分を揮散させる芳香液２を収納する袋体３と、芳香液２を毛細管現象で袋体３から送出する紐状体４と、を有しており、袋体３は、紐状体４の毛細管現象による芳香液の送出に伴う体積変化に応じて内容積が縮小する素材からなるものである。
【００２２】
紐状体４は、図２に示すようにオスコネクタ１１の中空部に保持されており、紐状体４を内包するオスコネクタ１１を袋体３内に挿し込むことで、オスコネクタ１１の頭部の透孔１１ｄより紐状体４の上端部４ａに芳香液２が浸透し、毛細管現象によって袋体３内から芳香液２を紐状体４に送出する。紐状体４の下端部４ｂは開放されており、その下端部４ｂを通して芳香液２を常時送出する。紐状体４の一例として複数本の繊維を紐状に束ねて前記毛細管現象を発生させているが、これに限られるものではない。１本又は複数本の紐を撚った構成、或いは合成繊維，ガラス繊維，木綿糸，紙繊維、中空膜などを束ねた構造、或いは織物組織を紐状に丸めた構造などにより、毛細管現象を発生させるようにしてもよく、要は袋体３から芳香液２を送出する毛細管現象を発生させる構造であれば、いずれの紐状体であってもよい。
【００２３】
また、紐状体４には、袋体３内から芳香液２を紐状体４に送出する芳香液２の送出量を調整（毛細管力による送出量調整）する流量調整機構４ｃを設けても良い。流量調整機構４ｃの形状は、クリップ型、ねじ型等、芳香液２の送出量を調整可能な構造であればよい。流量調整機構４ｃによって、最適な量の匂い及び／又は消臭成分を空間に放出するものである。
【００２４】
組をなすメスコネクタ１０及びオスコネクタ１１について、紐状体４を袋体３に取付ける構造を図２及び図３に基づいて説明する。
図２及び図３に示すように、メスコネクタ１０には、上下に貫通する流路１０ａが確保されており、流路１０ａに対面するメスコネクタ１０の内周面にはリング状の溝部１０ｂが設けられている。オスコネクタ１１は、メスコネクタ１０の流路１０ａ内に圧入される中空の筒部１１ａと、筒部１１ａの下端に設けたフランジ１１ｂと、を有し、オスコネクタ１１は、筒部１１ａ内に紐状体４を保持している。筒部１１ａの上端部１１ｃの側部には、袋体３内の芳香液２を紐状体４に誘導する透孔１１ｄが設けられ、筒部１１ａの外周面にはリング状の溝部１０ｂに嵌合させるリング状の凸部１１ｅが設けられ、フランジ１１ｂにはリング状の溝部１１ｆが設けられている。メスコネクタ１０の袋体３側の開口端は使用前の状態で外気遮断用パッキン１２によりシールされ、外気遮断用パッキン１２にはオスコネクタ１１で破断されるスリット１２ａが切り込まれている。なお、外気遮断用パッキン１２の膜厚によっては、スリット１２ａを設けなくてもよい。メスコネクタ１０の溝部１０ｂとオスコネクタ１１の凸部１１ｅは、オスコネクタ１１がメスコネクタ１０の外気遮断用パッキン１２を開封して芳香液２内に挿し込まれた際に、オス、メス両コネクタを最適な位置に固定し、且つオスコネクタ１１がメスコネクタ１０より容易に外れることを防ぐ嵌合のための凹凸となっている。
【００２５】
メスコネクタ１０とオスコネクタ１１によって、開口部に紐状体４を内包することになった袋体３は図１（ａ）（ｂ）に示すように、放香発生装置１の本体をなす筐体５内に組み込まれる。具体的に説明すると、筐体５は、その内部が仕切板６で上下に仕切られている。筐体５の上部空間７内には袋体３が交換可能に収容されている。図１（ａ）（ｂ）の例では、筐体５の天板の内面に吊具９を取付け、袋体３の上辺側を吊具９で支え、袋体３の下部に設けたメスコネクタ１０を下向きにして、袋体３を筐体５の上部空間７内に収容している。また、筐体５の仕切板６には切込み６ａが形成され、切込み６ａの端縁がオスコネクタ１１の溝部１１ｆに嵌合される。なお、吊具９に代えて支え具を用いて袋体を支えるようにしてもよい。
【００２６】
袋体３は図１（ａ）（ｂ）及び図２に示すように、紐状体４の毛細管現象による芳香液２の送出に伴う体積変化に応じて内容積が縮小する素材からなるものであり、その素材としては可撓性のある素材が用いられる。袋体３内には揮散性の芳香液２が収納されるものである。芳香液２は空気に触れると、変質する特性を有しているため、そのことを考慮して、袋体３の素材としてアルミニウム薄膜を用いている。アルミニウム薄膜は空気を遮断する特質を備えており、本発明の実施形態１では、そのアルミニウム薄膜を袋状に成形し、その内部に芳香液２を収納する構成を採用したが、これに限られるものではない。芳香液２に浸食されず、且つ空気を通さない材質であれば、合成樹脂を袋体１の素材として用いてもよい。要は、袋体３の素材として、紐状体４の毛細管現象による芳香液２の送出に伴う体積変化に応じて内容積が縮小する素材であれば、いずれのものであってもよい。その場合、袋体３の素材として、芳香液２に浸食されず、且つ空気を通さない材質であることを考慮する必要がある。
【００２７】
次に、実施形態１に係る放香発生装置１を用いて、空間に匂い及び/又は消臭成分を放出する場合について説明する。
図１（ａ）（ｂ）及び図２に示すように、袋体３のメスコネクタ１０を下向きにし、メスコネクタ１０にオスコネクタ１１を位置合わせして、オスコネクタ１１の筒部１１ａをメスコネクタ１０の流路１０ａ内に圧入し、筒部１１ａの上端部１１ｃでメスコネクタ１０の外気遮断用パッキン１２のスリット１２ａを破断して袋体３の下部を開封し、オスコネクタ１１の透孔１１ｄを含む上端部１１ｃを袋体３内に挿し込む。
【００２８】
図１（ａ）（ｂ）の示すように、袋体３の上辺側を吊具９に取付けて筐体５の上部空間７内に収容する。上部空間７内に収容する際、オスコネクタ１１のフランジ１１ｂを仕切板６の切込み６ａに横方向から挿し込むと、フランジ１１の溝部１１ｆに切込み６ａの端縁が食い込む。このため、フランジ１１の溝部１１ｆと切込み６ａの端縁との嵌合により、オスコネクタ１１が仕切板６の切込み６ａ内に定着される。
【００２９】
図２に示すように、袋体３内の芳香液２内に、透孔１１ｄを持つオスコネクタ１１が差し込まれているため、芳香液２が透孔１１ｄを通して紐状体４に供給される。これにより、紐状体４が芳香液２で浸されるため、紐状体４に毛細管現象が発生し、その毛細管現象を受けて芳香液２が袋体３から紐状体４を通して送出される。紐状体４に送出された芳香液２は、毛細管現象によって面状体２０に伝わり、次に揮散体２１に伝わって揮散し、匂い及び／又は消臭成分を空間に放出する。
【００３０】
以上、説明したように、本発明の実施形態１によれば、芳香液から匂い成分を揮散させる放香発生装置において、匂い成分を揮散させる前記芳香液を収容する袋体と、前記袋体から前記芳香液を毛細管現象で送出する紐状体と、を有し、前記袋体は、前記紐状体及び前記面状体による前記芳香液の送出に伴う体積変化に応じて内容積が縮小する素材からなる構成を採用したため、容器内に紐状体を通して外気の侵入を回避して、容器内の前記芳香液の変質を防止することができ、所期の匂い成分を揮散することができる。すなわち、前記芳香液が外気による酸化作用などで変質されることがなく、前記芳香液から揮散させる匂いの変化を防止して、匂い及び／又は消臭成分による効果を十分に発揮することができる。
【００３１】
さらに本発明の実施形態１によれば、前記袋体は、前記紐状体及び前記面状体による前記芳香液の送出に伴う体積変化に応じて内容積が縮小する素材からなる構成を採用したため、前記容器内から前記芳香液を送出する開始時点と、前記容器内から前記芳香液を十分に送出した時点での前記容器の外形形態が変化するため、前記容器の外形形態を監視することにより、前記芳香液が消費された容器を前記芳香液が充填された新しい容器に交換する時期を視認することができる。これにより、容器の交換時期が容易に判別することができる。
【００３２】
特許文献１の放香器では、容器を倒立状態に設置する必要がある。これに対して、本発明の実施形態１では紐状体の毛細管現象で袋体内から芳香液を送出する構成であるため、袋体の設置姿勢に左右されることなく、前記袋体から前記芳香液を送出することができ、前記袋体の設置姿勢に自由度をもたせることができる。
【００３３】
図１乃至図３において、異なる香り成分や消臭成分を使用するために袋体３を交換する際や、袋体３内の芳香液２が全て消費され空になった際などには、使用中の袋体３を別の芳香液２が充填された袋体３に交換するとともに、未使用の紐状体４を内包する別のオスコネクタ１１に交換する必要がある。実施形態１では、オスコネクタ１１のフランジ１１ｂを仕切板６の切込み６ａに着脱可能に挿し込みむという構成を採用することにより、未使用の芳香液２が充填された袋体３の交換時に紐状体４も未使用のものに交換でき、香りや消臭成分が異なる芳香液２同士が紐状体４内で混合してしまうことを防ぐことができ、所期の匂い成分を揮散させることができる。その際、面状体２０と揮散体２１も未使用の物に交換することで、同じく成分や匂いが異なる芳香液２同士が面状体２０と揮散体２１内で混合することを防ぐことができる。
【００３４】
［実施形態２］
図１乃至図３に示す実施形態１では、紐状体４を袋体３に挿し込み結合させるために、メスコネクタ１０とオスコネクタ１１とを用いたが、これに限られるものではない。メスコネクタ１０及びオスコネクタ１１以外の接合構造の一例を実施形態２として図４乃至図６に基づいて説明する。
【００３５】
図５（ａ）（ｂ）（ｃ）及び図６に示すように、袋体３の吐出口１３には、上下に貫通する流路１３ａが確保されており、流路１３ａの上流側の吐出口１３の内周面にはめねじ１４が刻設してあり、流路１３ａの下流側の吐出口１３の外周面にはおねじ１５が刻設してある。図６に示すように、吐出口１３と組をなす接続口１６には流路１６ａを上下に貫通させて設けてあり、接続口１６の流路１６ａ内には紐状体４を保持している。接続口１６の上端部には吐出口１３のめねじ１４に螺合させるおねじ１７が刻設されている。紐状体４の一端４ａは袋体３内に押し込まれ芳香液２を毛細管現象で紐状体に導くのに必要な長さ分だけ引き出されている。
【００３６】
図５（ａ）（ｂ）に示すように、吐出口１３の下方の開放口側は図３（ａ）に示す実施形態１と同様に、外気遮断パッキン１８で閉塞されている。図５（ｃ）に示すように、外気遮断パッキン１８の中央部には、紐状体４を挿通させるためのスリット１８ａが切り込まれている。図５（ａ）（ｂ）（ｃ）に示すように、芳香液２を収納した袋体３を保管する際には、吐出口１３のおねじ１５に蓋１９のめねじ１９ａが螺合され、吐出口１３が覆われるため、外気遮断パッキン１８のスリット１８ａを介して袋体３内の芳香液２が外気に触れるのを回避している。なお、外気遮断用パッキン１８の膜厚によっては、スリット１８ａを設けなくてもよい。
【００３７】
図６に示すように、紐状体４は、その上端部４ａが袋体３内の芳香液２に挿し込まれ、前記毛細管現象で袋体３内から芳香液２を送出することになる。紐状体４の下端部４ｂが開放され、その開放端を通して芳香液２を常時送出するようになっている。
【００３８】
実施形態２に係る放香発生装置１を用いて、空間に匂い又は消臭成分を放香する場合について説明する。
【００３９】
未使用の芳香液２を収納した袋体３に紐状体４を内包した接続口１６を取付ける手順を説明する。袋体３の吐出口１３を上向きにして蓋１９を取り外す。蓋１９を取り外した状態であっても、吐出口１３の端面に設けられた外気遮断パッキン１８により、袋体３内の芳香液２は外気と接触しないように保護されている。
【００４０】
図６に示す接続口１６のおねじ１７を袋体３の吐出口１３の内部に設けられためねじ１４にねじ込む。具体的には、吐出口１３の端面に設けられた外気遮断パッキン１８のスリット１８ａを破断し、外気遮断パッキン１８を通して吐出口１３内に向けて接続口１６を挿入し、おねじ１７をめねじ１４にねじ込む。接続口１６のおねじ１７を吐出口１３のめねじ１４にねじ込むと、接続口１６内に保持された紐状体４の上端部４ａが袋体３内の芳香液２に挿し込まれる。
【００４１】
紐状体４を内包する接続口１６を袋体３の吐出口１３に取付けた後、袋体３の吐出口１３を重力方向下向きに向け、それを筐体５内に吊下げた状態で接続口１６の溝部１６ｂを仕切板６の切込み６ａ内に挿し込む。これにより、袋体３内の芳香液２に紐状体４による毛細管現象が作用し、その毛細管現象を受けて芳香液２が袋体３から紐状体４を通して送出される。
紐状体４を通して送出された芳香液２は外気に触れて揮散し、匂い又は消臭成分を空間に放出する。
【００４２】
実施形態２によれば、袋体の吐出口１３を接続口１６で密封するため、未使用の芳香液が空気に触れるのを確実に回避することができる。
【００４３】
［実施形態３］
上述した実施形態１及び実施形態２では、紐状体４による毛細管現象のみで袋体３内の芳香液２を送出する構成としたが、これに限られるものではなく、紐状体４による毛細管現象を面状体２０で増幅し、更に揮散体２１で増幅する構成としてもよい。次に、本発明の実施形態３を図６、図７及び図８に基づいて詳細に説明する。
【００４４】
図６及び図７に示す面状体２０の例では、紐状体４の開放された端部である前記他端部の束ねを解いて複数本の単繊維群４１，４２，４３・・・４ｎを得て、これらの単繊維４１，４２，４３・・・４ｎを面状に配置して面状体２０を構成している。図６及び図７に面状体２０の例では、面状に配置した複数本の単繊維群４１，４２，４３・・・４ｎで発生する毛細管現象を紐状体４が発生する毛細管現象に加えることにより、紐状体４が発生する毛細管現象を増幅させている。
【００４５】
図６及び図７に示す実施形態では、紐状体４の開放された端部の束ねを解いて複数本の単繊維群４１，４２，４３・・・４ｎを得た例を示したが、これに限られるものではない。図８に示すように、紐状体４の開放された端部を束ねたままで、紐状体４の全長を延長させて、紐状体４の延長部４ｄを渦巻状に引廻すことにより、その渦巻状の紐状体４の延長部４ｄにより面状体２０を構成するようにしてもよいものである。
【００４６】
なお、面状体２０として複数本の単繊維群を用いたが、これに限られるものではなく、面状体２０として、不織布，フェルト，紙材，多孔質のセラミック等を用いてもよい。要は、面状体２０としては、多孔質の浸透性のある素材であれば良く、紐状体４の毛細管現象によって導かれた芳香液を揮散させ、紐状体４の毛細管現象を増幅させることができる構成であれば、いずれのものであってもよい。
【００４７】
図６，図７及び図８に示す本発明の実施形態３によれば、前記送出された前記芳香液を面状に拡散する面状体を有するため、前記袋体に接続した前記紐状体が発生する毛細管現象を前記面状体で増幅することができる。従って、前記面状体の形態を調節することにより、前記袋体からの前記芳香液の送出量を適宜調節することができる。
【００４８】
［実施形態４］
図６及び図７に示すように、袋体３から露出している紐状体４及び面状体２０は外気に触れているため、紐状体４及び面状体２０の箇所で芳香液２の一部は揮散して匂い成分を放出することになるが、芳香液２から前記匂い成分が揮散するための効率をより向上させる必要がある。
【００４９】
次に、本発明の実施形態４を図９に基づいて詳細に説明する。
図９に示す本発明の実施形態４では、開放された紐状体の下端部４ｂを複数の単繊維群４１，４２，４３・・・４ｎに分け、その先端部を通して芳香液２を常時引き出すようになっており、更に複数本の単繊維群４１，４２，４３・・・４ｎはその先端部が複数の揮散体２１の屈曲部２１ｂに面接触させている。揮散体２１は面状に構成され、複数本の単繊維群４１，４２，４３・・・４ｎから供給された芳香液２を全面に拡散して、芳香液２からの匂い成分の揮散効率を向上させている。
【００５０】
図９に示す本発明の別の実施形態では、前記面状をなす複数の揮散体２１を送風機２５による送風方向に沿って並列に配置している。そして、芳香液２は紐状体の端部４ｂから前記並列配置の複数の揮散体２１に拡大して拡散し、送風機２５の送風力を受けて匂い成分を揮散するため、屈曲部２１ｂを含む屈曲した揮散体全体の面積分に相当する匂い成分を揮散することになり、揮散する匂い成分の揮散量を増大させている。
【００５１】
図９に示す揮散体２１では、送風機２５側の揮散体２１の端縁（図１に示す）を面状体収納フレーム２２に取付けた蝶番２７で支持し、揮散体２１を送風機２５による送風方向に対して左右任意の方向に向けることにより、揮散体２１からの匂い成分の放出方向に指向性を持たせてもよい。
【００５２】
また、揮散体２１及び延長面２１ａの形状は、図１（ａ）（ｂ）、図４（ａ）（ｂ）、及び図９の形状に限らず、中空の筒状／箱状のもの等でも良い。なお、揮散体２１及び延長面２１ａの材質は、面状体２０と同様に、不織布，フェルト，紙材，多孔質のセラミック等を用いてもよい。要は、揮散体２１及び延長面２１ａとしては、多孔質の浸透性のある素材であれば良く、紐状体４の毛細管現象によって導かれた芳香液を揮散させ、紐状体４の毛細管現象を増幅させることができる構成であれば、いずれのものであってもよい。
【００５３】
［実施形態５］
面状体２０に拡散した芳香液２の揮散を促進する別の構成を実施形態５として説明する。
【００５４】
図１（ａ）（ｂ）及び図４（ａ）（ｂ）に示すように、筐体５の下部空間８内に通気性を有する面状体収納フレーム２２を設置し、面状体収納フレーム２２で前記面状をなす揮散体２１を支持している。面状体収納フレーム２２へ空気を導くための空気取入口２３を筐体５に開口し、揮散体２１から揮散した匂い成分を筐体５の外部に導く放香放出口２４を筐体５に開口している。空気取入口２３側には送風機２５をファンフード２６内に設置し、送風機２５は空気取入口２３から空気を取り入れ、その空気を揮散体２１に接触させて、芳香液２からの匂い成分の揮散を促進させている。
【００５５】
図１（ａ）（ｂ）及び図４（ａ）（ｂ）に示す揮散体２１の例では、揮散体２１から面状の延長面２１ａを延設し、その延長面２１ａを送風機２５による送風力の及ぶ範囲内でジクザク状に折り曲げて配置している。図１（ａ）（ｂ）及び図４（ａ）（ｂ）に示すように、芳香液２は面状体２０及び揮散体２１及びジクザク状の延長面２１ａに拡大して拡散し、送風機２５の送風力を受けて匂い成分を揮散するため、延長した延長面２１ａの面積分に相当する匂い成分を揮散することになり、揮散する匂い成分の揮散量を増大させている。
【００５６】
本発明の実施形態５によれば、前記揮散体は、複数の面を有する面状体であり、前記複数本の紐状体は、前記揮散体の各面に芳香液をそれぞれ供給する構成を採用することにより、前記揮散体の複数の面に芳香液を均一に供給することができ、前記揮散体の複数の面から匂い成分を均一に揮散することができる。
【００５７】
さらに、本発明の実施形態５によれば、前記揮散体は、前記複数の面を異なる方向に向けて有するため、前記複数の面からの匂い成分の揮散方向に指向性をもたせることができ、放香器を設置した空間内に隈なく匂い成分を揮散することができる。さらに、前記揮散体から芳香液の揮散を促進するために送風機を用いることになるが、その送風機の送風方向が一方向であるが、前記複数の面からの匂い成分の揮散方向に指向性をもたせているため、前記送風機の送風方向が一方向であっても、前記揮散体からの匂い成分を異なる方向へ揮散することができ、放香器を設置した空間内に隈なく匂い成分を揮散することにより、前記空間内での匂い成分の即効性を達成することができる。
【００５８】
［実施例］
以上説明した実施形態の構成に基づいた次の実験を実施した。その実験には、縦寸法が１６ｃｍ、横寸法が１０．３ｃｍ、奥行寸法が４．６ｃｍの袋体３（容量２００ｍｌ）を用い、その袋体３内に芳香液２に相当する水を充填した。芳香液２として水を用いることにより、袋体３内に外気が混入すれば、水中に気泡が生じることになり、その気泡の発生の有無を判別しやすくなる。
さらに、袋体３の素材として、袋体３内での芳香液２の挙動及び袋体３が紐状体４の毛細管現象による芳香液２の送出に伴う体積変化に応じて内容積が縮小する状態を可視化するため、膜厚が約０．５ｍｍの透明性の合成樹脂を用いた。袋体３の吐出口１３内の流路１３ａの口径を７ｍｍφに設定した。紐状体４としては、９４％ポリエステル，６％ポリウレタンの平織組織を紐状に束ねて７ｍｍφ、長さ１００ｍｍの紐状体４として用い、これを袋体３の吐出口１３の流路１３ａ内に保持させた。
図１０は、実験開始時の状態を示すものであり、吐出口１３を下向きにして袋体３を倒立姿勢に保ち、紐状体４が袋体３から毛細管現象で送出した水（芳香液２）をペットボトル２８の皿で受け止めた。
図１１は、実験開始時から１０５時間が経過した状態を示している。図１０から図１１に至る過程において、水（芳香液２）中に外気による気泡が発生したかを観察した。
図１０から図１１に至る過程において、水（芳香液２）が袋体３から徐々に紐状体４の毛細管現象で送出され、ペットボトル２８中の水嵩が徐々に増え、図１１の状態では、ペットボトル２８内の水嵩が１８０ｍｌに達した。この過程において、袋体３内の水（芳香液２）中に気泡の発生は見られず、ペットボトル２８中の水嵩が増えるに従って、袋体３内の体積変化が生じ、その体積変化に応じて内容積が縮小する状態を観察できた。
図１０から図１１に至る過程を観察した結果に基づいて、袋体３が紐状体４の毛細管現象による芳香液２の送出に伴う体積変化に応じて内容積が縮小する状態を観察し、且つ袋体３内の水（芳香液２）中での気泡の発生が確認できなかったので、袋体３内には外気が侵入せずに紐状体４の毛細管現象で袋体３から水（芳香液２）が送出することが実証できたとの結論を得た。
以上の結論から、本発明の実施形態に係る放香発生装置は所期の動作をして、芳香液から匂い成分を揮散するとの実証を得た。
【００５９】
本発明は、その本質的特性から逸脱することなく数多くの形式のものとして具体化することができる。よって、上述した実施形態は専ら説明上のものであり、本発明を制限するものではないことは言うまでもない。
【符号の説明】
【００６０】
１      放香発生装置
２      芳香液
３      袋体
４      紐状体
４１，４２，４３・・・４ｎ  単繊維群
４ａ    上端部
４ｂ    下端部
４ｃ    流量調整機構
４ｄ    延長部
５      筐体
６      仕切板
７      上部空間
８      下部空間
９      吊具
１０    メスコネクタ
１０ａ  流路
１０ｂ  溝部
１１    オスコネクタ
１１ａ  筒部
１１ｂ  フランジ
１１ｃ  上端部
１１ｄ  透孔
１１ｅ  凸部
１１ｆ  溝部
１２    外気遮断用パッキン
１２ａ  スリット
１３    吐出口
１３ａ  流路
１４    めねじ
１５    おねじ
１６    接続口
１６ａ  流路
１６ｂ  溝部
１７    おねじ
１８    外気遮断パッキン
１８ａ  スリット
１９    蓋
２０    面状体
２１    揮散体
２１ａ  延長面
２１ｂ  屈曲部
２２    面状体収納フレーム
２３    空気取入口
２４    放香放出口
２５    送風機
２６    ファンフード
２７    蝶番
２８    ペットボトル
【図１】
2018183544.tif 000003
【図２】
2018183544.tif 000004
【図３】
2018183544.tif 000005
【図４】
2018183544.tif 000006
【図５】
2018183544.tif 000007
【図６】
2018183544.tif 000008
【図７】
2018183544.tif 000009
【図８】
2018183544.tif 000010
【図９】
2018183544.tif 000011
【図１０】
2018183544.tif 000012
【図１１】
2018183544.tif 000013